(57)【特許請求の範囲】
【請求項１】
映像／音声信号からなる複数の素材が記憶された記憶手段と、
各素材の再生範囲を指定する操作を行う操作パネルからなる操作手段と、
各素材の再生範囲と、再生範囲の指定された各素材の再生順序を示す時間行とを表示手段に表示させ、上記操作手段により再生範囲が指定されると、この再生範囲を時間行上に登録し、この時間行に従って上記記憶手段から各素材を読み出して編集済みの映像／音声信号を出力するファイルを生成して、このファイルを上記記憶手段に記憶させ、上記時間行上に上記再生範囲を表示し、この表示された内容に従って上記映像／音声信号を出力する制御を行う制御手段とを備え、
上記制御手段は、上記記憶手段から読み出した映像をビューワー・ウィンドウに表示し、編集開始点を決定した場合の編集開始点の時間等をマーク・イン・ウィンドウに表示し、編集終了点を決定した場合の編集終了点の時間等をマーク・アウト・ウィンドウに表示する表示制御を行い、上記操作手段による決定操作に応じて、ビューワー・ウィンドウやマーク・イン・ウィンドウあるいはマーク・アウト・ウィンドウに表示するとともに時間行上にも編集開始点や編集終了点を表示し、既に時間行上に編集終了点が登録されている場合は登録済みの編集終了点を編集開始点として表示する表示制御を行うことを特徴とする映像編集装置。
【請求項２】
上記制御手段は、上記操作パネルを操作して上記再生範囲として編集開始点と編集終了点とが指定されると、上記時間行上に上記編集開始点と上記編集終了点とを登録し、上記時間行に従って上記記憶手段から各素材を読み出して上記編集済みの映像／音声信号を出力するファイルを生成して、このファイルを上記記憶手段に記憶させ、上記時間行上に上記編集開始点と編集区間と上記編集終了点とを表示し、この表示された内容に従って上記映像／音声信号を出力することを特徴とする請求項１記載の映像編集装置。
【請求項３】
上記制御手段は、上記操作パネルを操作して上記再生範囲として編集開始点と編集区間とが指定されると、上記時間行上に上記編集開始点と上記編集区間とを登録し、上記時間行に従って上記記憶手段から各素材を読み出して上記編集済みの映像／音声信号を出力するファイルを生成して、このファイルを上記記憶手段に記憶させ、上記時間行上に上記編集開始点と上記編集区間と上記編集終了点とを表示し、この表示された内容に従って上記映像／音声信号を出力することを特徴とする請求項１記載の映像編集装置。
【請求項４】
上記制御手段は、上記操作パネルを操作して上記再生範囲として編集終了点と編集区間とが指定されると、上記時間行上に上記編集終了点と上記編集区間とを登録し、上記時間行に従って上記記憶手段から各素材を読み出して上記編集済みの映像／音声信号を出力するファイルを生成して、このファイルを上記記憶手段に記憶させ、上記時間行上に上記編集開始点と上記編集区間と上記編集終了点とを表示し、この表示された内容に従って上記映像／音声信号を出力することを特徴とする請求項１記載の映像編集装置。
【発明の詳細な説明】
【０００１】
【発明の属する技術分野】
本発明は、ビデオ・テープ・レコーダ（以下、ＶＴＲという。）等を用いた記録再生装置による映像や音声等をコンピュータを用いて編集する映像編集装置に関するものである。
【０００２】
【従来の技術】
パーソナルコンピュータ上でのグラフィカル・ユーザー・インターフェース（以下、ＧＵＩという。）を用いた編集は、現在盛んに提案され、円盤状情報記録媒体を用いたノンリニア編集システムで実現されている。
【０００３】
ノンリニア編集システムでは、例えば、テープ素材にカメラ一体型ＶＴＲで撮影された映像／音声を記録する。ノンリニア編集システムでは、このテープ素材に記録された映像／音声を、ハードディスク・ドライブ（以下、記憶装置という。）を用いたサーバにＶＴＲを用いて記録し、記憶装置上で編集を行っている。
【０００４】
図１０に、ノンリニア編集システムの具体的な構成を表す映像編集装置１００のブロック構成図を示す。
【０００５】
映像編集装置１００は、例えばテープに記録された映像／音声を再生するＶＴＲ１０１と、このＶＴＲ１０１により再生された映像／音声の内容を記憶する複数の装置から構成される記憶装置１０２と、ＶＴＲ１０１と記憶装置１０２とを制御するデバイス・コントローラ１０３と、ＧＵＩモニタ１０６に映像信号の計算された結果を出力する制御装置１０４とを備えている。
【０００６】
また、映像編集装置１００は、デバイス・コントローラ１０３からの信号が供給されて映像／音声を出力するプレビュー・モニタ１０５と、制御装置１０４からの映像編集の作業情報を表示するＧＵＩモニタ１０６と、制御装置１０４に数値等を入力するキーボード１０７と、マウス１０８と、記録された映像／音声のデータの編集を行う編集操作パネル１０９とを備えている。
【０００７】
デバイス・コントローラ１０３は、編集操作パネル１０９又はマウス１０８の操作に応じて、制御信号をＶＴＲ１０１に供給することにより、テープに録画／録音された映像／音声を再生し、この再生した映像／音声をデバイス・コントローラ１０３を経由して記憶装置１０２に記憶させる。デバイス・コントローラ１０３は、編集操作パネル１０９の操作に応じて、記憶装置１０２からデバイス・コントローラ１０３又は制御装置１０４を経由して、記録された映像／音声をＧＵＩモニタ１０６又はプレビュー・モニタ１０５に再生させる。編集者  は、編集操作パネル１０９又はマウス１０８をＧＵＩモニタ１０６又はプレビュー・モニタ１０５を見ながら操作することによって、必要なシーンの選択を行う。
【０００８】
以上の操作は、以下に示す編集作業により行われる。
【０００９】
図１１のステップＳ１１１において、編集者は、編集操作パネル１０９の図示しないサーチダイヤルを操作して、必要なシーンの最初の映像を探す。デバイス・コントローラ１０３は、サーチダイヤルの操作に応じて、記憶装置１０２に記録された映像／音声を細切れの状態でＧＵＩモニタ１０６上に表示させる。
【００１０】
ステップＳ１１２において、編集者は、編集操作パネル１０９又はマウス１０８の操作により正確な編集開始点を決定する。デバイス・コントローラ１０３は、編集操作パネル１０９又はマウス１０８の操作に応じて、ＧＵＩモニタ１０６上に表示された映像の正確な編集開始点を登録する。
【００１１】
ステップＳ１１３において、編集者は、編集操作パネル１０９のサーチダイヤルを操作して、必要なシーンの最後の映像を探す。デバイス・コントローラ１０３は、サーチダイヤルの操作に応じて、記憶装置１０２に記録された映像／音声を細切れの状態でＧＵＩモニタ１０６上に表示させる。
【００１２】
ステップＳ１１４において、編集者は、編集操作パネル１０９又はマウス１０８の操作により正確な編集終了点を決定する。デバイス・コントローラ１０３は、編集操作パネル１０９又はマウス１０８の操作に応じて、ＧＵＩモニタ１０６上に表示された映像の正確な編集終了点を登録する。
【００１３】
この他に、編集者は、編集開始点と編集区間によって必要シーンを決定した  り、編集終了点と編集区間によって必要シーンを決定したりする。
【００１４】
ステップＳ１１５において、編集者は、図１２に示すように、ＧＵＩモニタ１０６のＶｉｅｗｅｒ  Ｗｉｎｄｏｗ（以下、ビューワー・ウィンドウという。）１２９又はプレビュー・モニタ１０５を見ながら、プレビューによる必要シーンの映像／音声の決定を行う。デバイス・コントローラ１０３は、記憶装置１０２に記録された映像／音声をビューワー・ウィンドウ１２９又はプレビュー・モニタ１０５に表示する。
【００１５】
ステップＳ１１６において、編集者は、決定シーンの確認、つまり編集点の確認を行う。ここで、編集者は、編集開始点を再指定する場合には、ステップＳ１１１へ戻り、編集終了点を再指定する場合には、ステップＳ１１３へ戻る。
【００１６】
編集者は、編集点の確認を行い決定すると、ステップＳ１１７へ進む。
【００１７】
ステップＳ１１７において、デバイス・コントローラ１０３は、ステップＳ１１６における編集点が決定されると同時に、記憶装置１０２に記録された映像／音声から作られたスタンプピクチャ画面１２３をＧＵＩモニタ１０６上に、編集開始点／編集終了点のタイムコードや編集区間の時間表示やファイル名称等と一緒に表示する。
【００１８】
ステップＳ１１８において、編集者は、次のシーンの選択をする場合には、上記ステップＳ１１１〜ステップＳ１１７を繰り返すことにより、編集ストーリに必要な全てのスタンプピクチャをＧＵＩモニタ１０６上に用意する。ここで、編集者は、次のシーンの選択をしない場合には、ステップＳ１１９へ進む。
【００１９】
ステップＳ１１９において、編集者は、図１３に示すように、編集ストーリを作るために必要なスタンプピクチャの準備ができると、編集操作パネル１０９をマウス１０８に持ち替え、編集ストーリの順序で、スタンプピクチャ１２４，１２５，１２６をそれぞれマウス１０８でドラッグしてから、時間軸で管理できる時間行（以下、タイムラインという。）１２７上にドロップして、映像／音声をランダムにつなげていく。デバイス・コントローラ１０３は、記憶装置１０２に記録された映像／音声を、編集ストーリの順序でＧＵＩモニタ１０６のタイムライン１２７上に登録して映像／音声をランダムにつなげていく。
【００２０】
ステップＳ１２０において、記憶装置１０２は、タイムライン１２７上に並んだ編集ストーリ通りの映像／音声を、編集操作パネル１０９のプレビューボタン又はＧＵＩモニタ１０６上のプレビューアイコン１２８に対するマウス１０８の操作に応じて、複数の決定シーン（以下、複数シーンという。）の連続としてプレビュー再生する。
【００２１】
ステップＳ１２１において、編集者は、連続した複数シーンの確認を行う。ここで、編集者は、連続した複数シーンの順番を入れ替える場合には、ステップＳ１１９へ戻り、連続した複数シーンの順番を入れ替えない場合には、ステップＳ１２２へ進む。
【００２２】
ステップＳ１２２において、記憶装置１０２は、ステップＳ１２１における確認が終わると、完成した編集ストーリの再生する範囲と順番を示す編集決定リストを記憶装置１０２内にあるファイルシステムに記憶する。
【００２３】
このようにして、ノンリニア編集は、今までテープでは実現できなかった任意の場所の映像を瞬時につなぎ合わせることができるので、編集時間を短縮することができる。
【００２４】
上述の様に、ノンリニア編集は、制御装置上にインストールされたアプリケーションソフトウェアによって、ＧＵＩモニタ上で行われている。そして、ノンリニア編集は、マウスが必須となっているのが現状である。
【００２５】
【発明が解決しようとする課題】
しかし、編集操作パネル１０９の編集開始点／編集終了点のボタン操作によってスタンプピクチャを生成しマウス１０８を用いてタイムライン１２７上に配置する作業工程の見直しと、マウス１０８の操作の問題が指摘されている。
【００２６】
なぜなら、編集者は、編集開始点／編集終了点のボタン操作で、「このシーンを使う」と意志決定したにもかかわらず、現在の全てのＧＵＩアプリケーションソフトウェアでは、さらにマウス１０８でタイムライン１２７上に映像を貼り付けなければならないからである。
【００２７】
また、編集者は、マウス１０８に関して、編集専用コントロールパネルとマウス１０８の両方を使用しないと一連の編集作業ができず、デバイスを持ち替えるので操作が煩わしい、作業スペースとしてマウスが使用できない。
【００２８】
本発明は、編集専用のコントロールパネルからのキー操作のみで簡単に編集ができるという、操作性の向上が図られた映像編集装置を提供することを目的とするものである。
【００２９】
【課題を解決するための手段】
上述の課題を解決するために、本発明に係る映像編集装置は、映像／音声信号からなる複数の素材が記憶された記憶手段と、各素材の再生範囲を指定する操作を行う操作パネルからなる操作手段と、各素材の再生範囲と、再生範囲の指定された各素材の再生順序を示す時間行とを表示手段に表示させ、上記操作手段により再生範囲が指定されると、この再生範囲を時間行上に登録し、この時間行に従って上記記憶手段から各素材を読み出して編集済みの映像／音声信号を出力するファイルを生成して、このファイルを上記記憶手段に記憶させ、上記時間行上に上記再生範囲を表示し、この表示された内容に従って上記映像／音声信号を出力する制御を行う制御手段とを備え、上記制御手段は、上記記憶手段から読み出した映像をビューワー・ウィンドウに表示し、編集開始点を決定した場合の編集開始点の時間等をマーク・イン・ウィンドウに表示し、編集終了点を決定した場合の編集終了点の時間等をマーク・アウト・ウィンドウに表示する表示制御を行い、上記操作手段による決定操作に応じて、ビューワー・ウィンドウやマーク・イン・ウィンドウあるいはマーク・アウト・ウィンドウに表示するとともに時間行上にも編集開始点や編集終了点を表示し、既に時間行上に編集終了点が登録されている場合は登録済みの編集終了点を編集開始点として表示する表示制御を行うことを特徴とする。
【００３０】
従って、本発明に係る映像編集装置によれば、編集操作パネルからマウス、マウスから編集操作パネルといったデバイスの持ち替えをすることなく、編集操作パネルからの操作のみで簡単に編集ができるので、ただ一つのデバイスからのキー操作によって簡単に編集ができ、更なる編集の効率アップをすることができる。
【００３１】
【発明の実施の形態】
以下、本発明の実施の形態について、図面を参照しながら説明する。
【００３２】
本発明は、例えば図１に示す構成の映像編集装置１に適用される。
【００３３】
映像編集装置１は、例えばテープに記録された映像／音声を再生するＶＴＲ２と、このＶＴＲ２により再生された映像／音声の内容を記憶する複数の装置から構成される記憶装置３と、ＶＴＲ２と記憶装置３とを制御するデバイス・コントローラ４と、ＧＵＩモニタ６に映像信号の計算された結果を出力する制御装置５とを備えている。
【００３４】
また、映像編集装置１は、デバイス・コントローラ４からの信号が供給されて映像／音声を出力するプレビュー・モニタ８と、制御装置５からの映像編集の作業情報を表示するＧＵＩモニタ６と、記録された映像／音声のデータの編集を行う編集操作パネル７とを備えている。なお、編集操作パネル７は、ファンクションキーやプログラマブルファンクションキーなどを備えている。
【００３５】
ＧＵＩモニタ６は、図２に示すように、ＧＵＩ画面２３を表示する。ＧＵＩ画面２３は、編集操作パネル７からの操作を受けて表示されるのみで、ＧＵＩモニタ６上からＶＴＲ２や記憶装置３をコントロールするアイコンボタンは配置されていない。
【００３６】
このＧＵＩ画面２３は、編集する映像等を映し出す画面が配置されているビューワ２４と、編集した映像／音声の再生する順番を示すタイムライン画面２８と、メッセージ・エリアとから構成されている。
【００３７】
ビューワ２４は、ＶＴＲ２や記憶装置３からの映像を映し出す画面であるＶｉｅｗｅｒ  Ｗｉｎｄｏｗ（以下、ビューワー・ウィンドウという。）２５と、このビューワー・ウィンドウ２５に表示される編集対象の映像／音声の再生可能時間等を表示するビューワー・インフォメーション２５ａと、編集開始点を決定した場合の編集開始点の映像を映し出す画面であるＭａｒｋ  Ｉｎ  Ｗｉｎｄｏｗ（以下、マーク・イン・ウィンドウという。）２６と、再生可能時間に対する編集開始点の時間等を表示するマーク・イン・インフォメーション２６ａと、編集終了点を決定した場合の編集終了点の映像を映し出す画面であるＭａｒｋ  Ｏｕｔ  Ｗｉｎｄｏｗ（以下、マーク・アウト・ウィンドウという。）２７と、再生可能時間に対する編集終了点の時間等を表示するマーク・アウト・インフォメーション２７ａと、再生可能時間に対する編集開始点から編集終了点までの時間等を表示するデュレーション・インフォメーション２５ｂとから構成されている。
【００３８】
ビューワー・ウィンドウ２５は、編集対象となる映像を表示する。具体的には、ビューワー・ウィンドウ２５は、編集操作パネル７の図示しないサーチダイヤルの操作に応じて、まず早送りで再生し、目的とする編集点近くの映像になると標準の速さで再生し、正確な編集点の映像を細切れの状態で表示する。ビューワー・ウィンドウ２５は、一の編集対象となる映像の編集が終わったら、他の編集対象となる映像も同様に表示する。
【００３９】
ビューワー・インフォメーション２５ａは、編集対象となる映像／音声の再生可能な時間等を表示する。
【００４０】
マーク・イン・ウィンドウ２６は、編集操作パネル７において、編集開始点の決定操作がされたときにビューワー・ウィンドウ２５に表示されていた映像を、その編集開始点の映像として表示する。マーク・イン・インフォメーション２６ａは、上記編集開始点の決定操作と同時に編集対象となる映像の再生可能な時間に対する編集開始点の時間等を表示する。
【００４１】
マーク・アウト・ウィンドウ２７は、編集操作パネル７において、編集終了点の決定操作がされたときにビューワー・ウィンドウ２５に表示されていた映像をその編集終了点の映像として表示する。マーク・アウト・インフォメーション２７ａは、上記編集終了点の決定操作と同時に編集対象となる映像の再生可能な時間に対する編集終了点の時間等を表示する。
【００４２】
デュレーション・インフォメーション２５ｂは、上記編集終了点の決定操作と同時に編集対象となる映像の再生可能な時間に対する編集開始点から編集終了点までの時間等を表示する。
【００４３】
タイムライン画面２８は、図３に示すように、素材として編集した映像／音声ごとに、素材として編集した映像／音声の編集開始点を示すマーク・イン・メッセージ２９と、その編集終了点を示すマーク・アウト・メッセージ３０と、その編集区間を示すデュレーション・メッセージ３１とを表示する。すなわち、タイムライン画面２８は、各素材として編集した映像の再生される範囲と順番等を示す編集ストーリを表示する。
【００４４】
マーク・イン・メッセージ２９は、マーク・イン・ウィンドウ２６に表示される編集開始点の映像が決定されると同時に、タイムライン画面２８上に自動的に登録される。
【００４５】
マーク・アウト・メッセージ３０とデュレーション・メッセージ３１とは、マーク・アウト・ウィンドウ２７に表示される編集終了点の映像が決定されると同時に、タイムライン画面２８上に自動的に登録される。
【００４６】
以上のような構成の映像編集装置１は、複数シーンが連続した映像を編集できるように、以下のような動作をする。
【００４７】
デバイス・コントローラ４は、編集操作パネル７の操作に応じて、制御信号をＶＴＲ２に供給することにより、テープに録画／録音された映像／音声を再生し、この再生した映像／音声をデバイス・コントローラ４を経由して記憶装置３に記憶させる。また、デバイス・コントローラ４は、テープに録画／録音された映像／音声から必要な映像／音声だけを記憶装置３上に記録させる場合もある。
【００４８】
デバイス・コントローラ４は、編集操作パネル７の操作に応じて、記憶装置３から記録された映像／音声をＧＵＩモニタ６又はプレビュー・モニタ８に再生させる。
【００４９】
編集者は、編集操作パネル７をＧＵＩモニタ６又はプレビュー・モニタ８を見ながら操作することによって、必要なシーンの選択を行う。
【００５０】
以上の操作は、以下に示す編集作業により行われる。
【００５１】
図４のステップＳ１０において、編集者は、編集操作パネル７の図示しないサーチダイヤルを操作して、必要なシーンの最初の映像を探す。デバイス・コントローラ４は、サーチダイヤルの操作に応じて、記憶装置３に記録された映像／音声を早送りや細切れの状態でＧＵＩモニタ６上に表示する。
【００５２】
ステップＳ１１において、編集者は、編集操作パネル７の操作によりＧＵＩモニタ６上に表示された映像の正確な編集開始点を決定する。デバイス・コントローラ４は、編集操作パネル７に編集開始点の決定操作が行われると、編集開始点の映像をマーク・イン・ウィンドウ２６に表示し、それと一緒に、編集開始点の時間等をマーク・イン・インフォメーション２６ａに表示し、それと同時に、マーク・イン・メッセージ２９をタイムライン画面２８上に自動的に登録する。
【００５３】
また、デバイス・コントローラ４は、図５に示すように、タイムライン画面２８上に既に他の素材として編集した映像／音声が登録されているときには、初めのシーンの編集終了点であるマーク・アウト・メッセージ３０を、次のシーンの編集開始点であるマーク・イン・メッセージ３２に、自動的に登録する。
【００５４】
ステップＳ１２において、編集者は、編集操作パネル７のサーチダイヤルを操作して、必要なシーンの最後の映像を探す。デバイス・コントローラ４は、サーチダイヤルの操作に応じて、記憶装置３に記録された映像／音声を細切れの状態でＧＵＩモニタ６又はプレビュー・モニタ８上に表示する。
【００５５】
ステップＳ１３において、編集者は、編集操作パネル７の操作によりＧＵＩモニタ６上に表示された映像の正確な編集終了点を決定する。デバイス・コントローラ４は、編集操作パネル７に編集終了点の決定操作が行われると、図３に示すように、編集終了点の映像をマーク・アウト・ウィンドウ２７に表示し、それと一緒に、編集終了点の時間等をマーク・アウト・インフォメーション２７ａに表示し、それと同時に、マーク・アウト・メッセージ３０とデュレーション・メッセージ３１とをタイムライン画面２８上に自動的に登録する。
【００５６】
ステップＳ１４において、デバイス・コントローラ４は、マーク・アウト・メッセージ３０とデュレーション・メッセージ３１とをタイムライン画面２８上に自動的に登録する。
【００５７】
また、デバイス・コントローラ４は、図６に示すように、タイムライン画面２８上に既に他の素材として編集した映像／音声が登録されているときには、マーク・アウト・メッセージ３３とデュレーション・メッセージ３４とをタイムライン画面２８上に自動的に登録する。
【００５８】
ステップＳ１５において、デバイス・コントローラ４内のＣＰＵは、バックグランドで編集した映像／音声のデータを作成又は追加する。
【００５９】
ステップＳ１６において、編集者は、ＧＵＩモニタ６のビューワー・ウィンドウ２５又はプレビュー・モニタ８を見ながら、プレビューによる必要シーンの映像／音声の決定を行う。デバイス・コントローラ４は、記憶装置３に記録された映像／音声をビューワー・ウィンドウ２５又はプレビュー・モニタ８に表示する。
【００６０】
ステップＳ１７において、編集者は、決定シーンの確認、つまり編集点の確認を行う。それと同時に、編集者は、編集開始点と編集区間と編集終了点とを、タイムライン画面２８上で確認する。
【００６１】
ここで、編集者は、編集開始点を再指定する場合には、ステップＳ１０へ戻り、編集終了点を再指定する場合には、ステップＳ１２へ戻る。編集者は、編集点の確認を行い決定すると、ステップＳ１８へ進む。
【００６２】
ステップＳ１８において、編集者は、次のシーンの選択をする場合には、ステップＳ１０へ戻り、次のシーンの選択をしない場合には、ステップＳ１９へ進む。従って、デバイス・コントローラ４は、素材として編集した映像／音声を全てタイムライン画面２８上に並べて表示する。
【００６３】
ステップＳ１９において、デバイス・コントローラ４は、記憶装置３から素材として編集した映像／音声を全て読み出して、タイムライン画面２８上に並んだ編集ストーリ通りの映像／音声を、編集操作パネル７のプレビューボタンの操作に応じて、複数の決定シーン（以下、複数シーンという。）の連続としてプレビュー再生する。
【００６４】
ステップＳ２０において、編集者は、連続した複数シーンの確認を行う。ここで、編集者は、連続した複数シーンの順番の入れ替えや削除が発生した場合には、ステップＳ２１へ進み、連続した複数シーンの順番の入れ替えや削除が発生しない場合には、ステップＳ２２へ進む。
【００６５】
ステップＳ２１において、編集者は、プレビューによる編集ストーリの確認によって、映像の入れ替えや削除が発生した場合には、編集決定リストの管理機能であるリストマネージメント機能２１を使用する。このリストマネージメント機能２１は、編集データを呼び出して修正を行う機能であり、ＧＵＩ画面２３の対話エリア内を示す図形に従って、編集操作パネル７のファンクションキーに登録されているコマンドや１０キーからの入力で編集番号を入れ替えたり、削除したり、追加したりすることができる。デバイス・コントローラ４は、リストマネージメント機能２１により修正が行われた編集結果を、ＧＵＩモニタ６のタイムライン画面２８上に表示する。
【００６６】
ステップＳ２２において、記憶装置３は、ステップＳ２０における確認が終わると、完成した編集ストーリの再生する範囲と順番を示す編集決定リストを記憶装置３内にあるファイルシステムに記憶する。
【００６７】
デバイス・コントローラ４は、このファイルシステムに記憶された編集決定リストに従って、記憶された編集済の映像／音声を編集ストーリ通りに外部へ出力して、再生する。
【００６８】
以上の方法により、デバイス・コントローラ４は、編集者が編集開始点と編集終了点との映像を決定すると同時に、編集操作パネル７の操作のみに応じてＧＵＩモニタ６のタイムライン画面２８上に、マーク・イン・メッセージ２９とマーク・アウト・メッセージ３０とデュレーション・メッセージ３１とを登録することができる。よって、編集者は、ＧＵＩ画面２３上でマウスを使わず、映像編集専用の編集操作パネル７によって全ての映像編集作業を実現することが可能となる。従って、編集者は、ＧＵＩモニタ６上のスタンプピクチャをマウスでドラッグしてからドロップするという操作や、コントロールデバイスを持ち替えるという操作の必要がなくなる。この結果、編集者は、操作負担が少なくなり編集操作の効率化を図ることが可能となる。小型のモニタを用いた図示しない映像編集装置１は、ＧＵＩモニタ６上のスタンプピクチャを表示する領域を削除することにより実現し、これを用いたノンリニア映像編集をすることにより作業スペースを効率的に使用することが可能である。
【００６９】
また、映像編集装置１の記憶装置３の代わりに光ディスク等を用いた映像編集装置を、実現することもできる。
【００７０】
映像編集装置１は、編集操作パネル７のファンクションキー設定、プログラマブルファンクションキー設定の活用により、キーボタンが押されなくても映像編集操作を実現することが可能である。
【００７１】
本発明を応用した映像編集装置は、ＧＵＩではなくテキストタイプのタイムラインを実現することにより、図７に示すように、映像編集装置１で備わっている制御装置５を使用しないで実現することができる。つまり、図７に示すように、映像編集装置３５は、ＶＴＲ２６と記憶装置３７とデバイス・コントローラ３８とＧＵＩモニタ３９と編集操作パネル４０とプレビュー・モニタ４１とから構成されている。
【００７２】
以上のように、映像編集装置１は、ＧＵＩモニタ６上のビューワー・ウィンドウ２５を大きくすることにより従来用いていた映像を確認するための外付けのモニタを付ける必要が無くなったり、また、ＧＵＩモニタ６上のビューワー・ウィンドウ２５を一つではなく素材に応じた、例えば図８に示すようなマルチビューワーを実現したり、さらに、タイムライン画面２８上に登録された映像／音声の通し映像を表示する画面である、図８に示すようなタイムライン・ビューワー４２を実現することができる。
【００７３】
映像編集装置１は、ＧＵＩではなくテキストタイプのタイムラインを実現することにより、制御装置５を使用しない映像編集装置を実現することができる。
【００７４】
また、映像編集装置１は、内部ＣＰＵを用いて図９に示すようなＧＵＩ画面２３を構成するため、文字ベースの映像編集画面に容易に対応することができる。
【００７５】
なお、ステップＳ１０〜ステップＳ１５で説明した編集作業は、編集開始点と編集終了点とが指定された場合について説明されたものであるが、編集開始点と編集区間とが指定された場合や編集終了点と編集区間とが指定された場合についても同様である。
【００７６】
例えば、デバイス・コントローラ４は、編集者により編集開始点と編集区間とが決められると同時に、編集開始点と編集区間とを示す図形であるマーク・イン・メッセージ２９とデュレーション・メッセージ３１とをタイムライン画面２８上に表示する。デバイス・コントローラ４は、編集者により編集操作パネルの１０キーが押されることによって編集区間が入力されると同時に、編集終了点を示す図形を伴った編集区間をＧＵＩモニタ６のタイムライン画面２８上に表示する。
【００７７】
従って、デバイス・コントローラ４は、編集者が編集開始点と編集区間との映像を決定すると同時に、編集操作パネル７の操作のみに応じてＧＵＩモニタ６のタイムライン画面２８上に、マーク・イン・メッセージ２９とマーク・アウト・メッセージ３０とデュレーション・メッセージ３１とを登録することが可能となる。
【００７８】
【発明の効果】
以上説明したように、本発明に係る映像編集装置によれば、各素材の再生範囲と、再生範囲の指定された各素材の再生順序を示す時間行とを表示する画面上でマウス等のポインティングデバイスを使わずに、各素材の再生範囲を指定する操作を行う映像編集専用の編集操作装置によって全ての映像編集作業をすることにより、編集者は、編集操作装置からポインティングデバイス、ポインティングデバイスから編集操作装置といったデバイスの持ち替えをすることなく、ただ一つのデバイスからのキー操作によって簡単に編集をすることができる。
【図面の簡単な説明】
【図１】本発明の実施の形態に係る映像編集装置のブロック構成図である。
【図２】本発明の実施の形態での編集開始点の映像と編集開始点を示す図形を、ＧＵＩモニタ上に表示した図である。
【図３】本発明の実施の形態での編集開始点と編集終了点との映像と、編集開始点と編集区間と編集終了点との映像を示す図形を、ＧＵＩモニタ上に表示した図である。
【図４】本発明の実施の形態での編集作業フローチャートである。
【図５】次のシーンを選択する場合の、本発明の実施の形態での編集開始点の映像と編集開始点を示す図形を、ＧＵＩモニタ上に表示した図である。
【図６】次のシーンを選択する場合の、本発明の実施の形態での編集開始点と編集終了点との映像と、編集開始点と編集区間と編集終了点との映像を示す図形を、ＧＵＩモニタ上に表示した図である。
【図７】本発明を応用した映像編集装置のブロック構成図である。
【図８】本発明を応用したマルチビューワをＧＵＩモニタ上に表示した図である。
【図９】本発明を応用したテキストベース画面のイメージ図である。
【図１０】従来の映像編集装置のブロック構成図である。
【図１１】従来での編集作業フローチャートである。
【図１２】従来のＧＵＩ画面のイメージ図である。
【図１３】スタンプピクチャをドラッグしてからドロップする様子を示した、従来のＧＵＩ画面のイメージ図である。
【符号の説明】
１  映像編集装置、２  ＶＴＲ、３  記憶装置、４  デバイス・コントローラ、５  制御装置、６  ＧＵＩモニタ、７  編集操作パネル、８  プレビュー・モニタ
【図１】
0004038888.tif 000002
【図２】
0004038888.tif 000003
【図３】
0004038888.tif 000004
【図４】
0004038888.tif 000005
【図５】
0004038888.tif 000006
【図６】
0004038888.tif 000007
【図７】
0004038888.tif 000008
【図８】
0004038888.tif 000009
【図９】
0004038888.tif 000010
【図１０】
0004038888.tif 000011
【図１１】
0004038888.tif 000012
【図１２】
0004038888.tif 000013
【図１３】
0004038888.tif 000014